(57)【特許請求の範囲】
【請求項１】
搬送路に臨んで配置されて搬送中のシートを検出するシート検出装置であって、
搬送中のシートの有無を検出するフォトインタラプタと、
シートで押されて回転する、前記フォトンタラプタの光路を遮るフラグを持った回動部材と、
前記フォトインタラプタからの検出信号を制御手段に対して無線発信する無線発信手段と、
前記回動部材に設けられた誘電体を備え、前記フォトインタラプタが搬送中のシートを検出するときの、シートで押されることによる前記回動部材の回転によって電力を発生させる発電手段と、を有し、
前記フォトインタラプタおよび前記無線発信手段は、前記発電手段から電力の供給を受けて作動可能に構成されたことを特徴とするシート検出装置。
【請求項２】
通過中のシートが当接することによって前記回動部材が回動軸を中心に回動変位して前記フォトインタラプタの光路を遮ることにより、前記フォトインタラプタが出力したシート有りを示す検出信号を前記無線発信手段によって発信することを特徴とする請求項１に記載のシート検出装置。
【請求項３】
前記発電手段を形成する誘電体は、前記回動軸の同軸上に設けられ、通過中および通過後のシートの当接および当接解除によって前記回動軸が正逆方向に回動を繰り返す運動を利用して起電力を発生させることを特徴とする請求項２に記載のシート検出装置。
【請求項４】
シートを搬送する搬送ローラと、
請求項１乃至３のいずれか１項に記載のシート検出装置と、
を備えることを特徴とするシート搬送装置。
【請求項５】
請求項１乃至３のいずれか１項に記載のシート検出装置、または、請求項４に記載のシート搬送装置が装備されていることを特徴する画像形成装置。
【発明の詳細な説明】
【技術分野】
【０００１】
本発明は、特に、複写機、ファクシミリ装置、プリンタおよび複合機などの電子写真画像形成装置に装備され、被転写材や記録紙など搬送中のシートの有無を検出するシート検出装置、このシート検出装置に備わるシート搬送装置に関するものである。
【背景技術】
【０００２】
シート搬送路に沿って複数のシート検出装置が配置された複写機などの画像形成装置については、先に本出願人によって多くの提案がなされている（たとえば、特許文献１参照）。具体例として、図１１および図１２にシート検出装置５０を示す。シートの搬送路に臨んで配置されたシート検出装置５０によって、図１２のように、シートＰが通過するタイミングで有無を検出する。普通、そうしたシート検出装置５０は光学式検出装置としてのフォトインタラプタ２と、樹脂質などで扇形に形成されたセンサフラグ１と、そして通過中のシートＰが当接することで動作するフラップ状可動片８を組み合わせて構成される。センサフラグ１の扇形の要（かなめ）部分は回動軸７に軸支され、それと同軸上に可動片８が設けられている。
【０００３】
図１１は、シートＰの通過がなく、可動片８に当接していない非通紙時の状態を示している。この場合可動片８はほぼ垂直に垂れ下がった定位置に待機していて、センサフラグ１はフォトインタラプタ２における光路を遮らない通光状態となっている。
【０００４】
図１２は、搬送されてきたシートＰの通過により、そのシートＰが可動片８に接触した通紙時の状態を示している。通過中のシートＰが可動片８に当接すると、その反動で可動片８が定位置から回動軸７を介して図中時計回り方向に回動し、回動軸７の回転に伴って一体にセンサフラグ１も回動してフォトインタラプタ２に割り込んで光路を遮る。光路が遮光されたことでそれまでの通光状態を示すシートＰの「無し」から「有り」を示す検出信号を出力する。
【０００５】
シートＰが通過し終えると、センサフラグ１と可動片８は自重で回動軸７を介して垂れ下がって元の定位置に復帰し、次のシートＰが到達するまでの待機状態、すなわち図１１に示す状態となる。なお、センサフラグ１と可動片８の自重を利用しないで、リターンスプリングでセンサフラグ１と可動片８を定位置に確実かつ強制的に復帰させる構造も知られている。
【０００６】
フォトインタラプタ２は、画像形成装置に備わる電源から束線５１で電力の供給を受けて作動し、センサフラグ１によって光路を遮られていない通光時の非通紙状態ではオン信号を出力しており、光路を遮られた遮光時の通紙状態になるとオフ信号を出力する。フォトインタラプタ２からのオン／オフ信号はＤＣコントーラなどの制御部に束線５１で送られ、その制御部から出力した制御信号でもって画像形成装置はシートＰの位置や有無に基づいて作動する。
【０００７】
一方、図１３は、シートＰを積載して収納する給紙部に設けられたメデイア検出手段を示している。このメディア検出手段によってシートＰの紙種や厚さ、そして画像といったメディア情報を検出する。そうしたメディア情報に応じて自動的にシート搬送の制御を行い、また画像を制御するように構成したものが多く提案されている（たとえば、特許文献２参照）。
【０００８】
図１３に示すメディア検出手段３２の場合、照射光の反射用と透過用のＬＥＤ３２ａ，３２ｂを有し、受光側に読取センサ３２ｃが配置されている。反射用ＬＥＤ３２ａからの照射光を通過中のシートＰに反射させてその反射光Ｌ１によって表面映像を読み取る。また、透過用ＬＥＤ３２ｂからの照射光を通過中のシートＰに透過させ、この透過光Ｌ２を読み取ることでシートＰの種類や厚さを検出する。
【０００９】
かかるメディア検出手段３２は、図１２のフォトインタラプタ２のように、搬送されてきたシートＰに正対できる搬送路に臨んだ位置に配置され、画像形成装置側の電源から束線５１による配線でもって給電されて動作する。通過中のシートＰに正対すると、メディア検出手段３２は発光してシートＰで反射させた反射光Ｌ１を検出し、あるいは透過させたときはその透過光Ｌ２を検出して信号を出力する。出力信号は図示しないＤＣコントローラなどの制御部に束線５１による配線で有線送信され、制御部は制御信号を出力して画像形成装置においてシートＰの種類や表面性、画像といったメディア情報に基づいた作動を実行させる。
【００１０】
【特許文献１】特開平９−１８３５３７号公報
【特許文献２】特開２００６−６９７３７号公報
【発明の開示】
【発明が解決しようとする課題】
【００１１】
ところで、図１１に例示したシート検出装置５０にあっては、画像形成装置の搬送路に沿って複数が配置されるためにつぎの問題点がある。
【００１２】
１）シート検出装置５０の配置数だけフォトインタラプタ２が必要となることである。大型タイプの画像形成装置ではシートＰを搬送する搬送路長もより一層長くなるから、それだけシート検出装置５０の設置数が増えてしまう。
【００１３】
２）シートＰの位置をできるだけ詳細かつ高精度で検出しようとすれば、勢いシート検出装置５０の設置数が増加する。
【００１４】
３）シート検出装置５０の設置数が増加すれば、ＤＣコントローラなど制御部における電気的な入出力ポート数が同数だけ増加し、制御が非常に複雑化する。
【００１５】
４）画像形成装置においてフォトインタラプタ、束線、クランプ類などの電気機器の種類や設置数が多くなれば、コスト高となり、またそれらの機器の収納に広大なスペースを見込む必要が生じて画像形成装置本体の大型化につながる。
【００１６】
５）束線を機体内に這い回して配線し、またクランプ類など実装した後にあっても、断線などのトラブルが皆無となるような保守点検を維持し続けることは容易ではない。このように維持が困難という問題は、図１３のメディア検出手段３２においても同様なことがいえる。
【００１７】
以上から、本発明の目的は、搬送中のシートの有無を検出する部品や機器を作動させるための電力の供給をたとえば画像形成装置の電源に依存せず、束線などの配線を這い回して給電する従前の構造が不要となるシート検出装置を提供することにある。
【００１８】
加えて、本発明の目的は、検出機器に給電する束線配線を廃止して検出信号を無線で送受信することで、たとえば画像形成装置内にて配線スペースと配線組立コストを削減し、構造の大幅な簡略化とコスト低減を実現できるシート検出装置を提供することにある。
【課題を解決するための手段】
【００１９】
上記目的を達成するために本発明に係る代表的なシート検出装置は、搬送路に臨んで配置されて搬送中のシートを検出するシート検出装置であって、搬送中のシートの有無を検出するフォトインタラプタと、シートで押されて回転する、前記フォトンタラプタの光路を遮るフラグを持った回動部材と、前記フォトインタラプタからの検出信号を制御手段に対して無線発信する無線発信手段と、前記回動部材に設けられた誘電体を備え、前記フォトインタラプタが搬送中のシートを検出するときの、シートで押されることによる前記回動部材の回転によって電力を発生させる発電手段と、を有し、前記フォトインタラプタおよび前記無線発信手段は、前記発電手段から電力の供給を受けて作動可能に構成されたことを特徴とする。
【発明の効果】
【００２０】
本発明のシート検出装置によれば、搬送中のシートの有無を検出する際の部品や機器の運動を利用して電磁誘導による電力を発生させ、その電力でもって検出手段や無線発信手段を作動させる。したがって、束線などの配線を這い回す手間とコストを削減でき、たとえば画像形成装置の内部構造を非常に簡略化でき、しかも配線スペースなど見込まないだけ小型化に寄与できる効果がある。加えて、搬送中のシートの有無検出に要する電力を装置側の電源に依存しないので、たとえば画像形成装置の装置本体側における省電力にも寄与する格別な効果が得られる。
【発明を実施するための最良の形態】
【００２１】
以下、本発明に係るシート検出装置とこれに備わるシート搬送装置の好適な実施形態について、画像形成装置に装備した場合について図を参照して詳細に説明する。改良点をより明確にするために、図１１〜図１３の従来構造で例示した部材や機器と同一または同種のものには同一符号を付してある。
【００２２】
≪実施形態≫
図１〜図４は、実施形態のシート検出装置６の構成を示す。
【００２３】
図１および図２に示すように、本実施形態のシート検出装置６は検出手段、発電手段、そして無線発信手段からなっており、それら各手段における部材と機器をコンパクトにユニット化して構成されている。
【００２４】
まず、検出手段は、検出用の光を遮るためのたとえば樹脂製で扇形に形成されたセンサフラグ１（回動部材）を有し、扇形の要（かなめ）部分がセンサ軸（回動軸）７に軸支されて一体に回動可能となっている。また、センサ軸７である回動軸上にはフラップ形状あるいは可動爪形状などによる可動片８が軸支されていて、搬送されてきたシートＰがその可動片８に当接すると、その反動で可動片８がセンサ軸７を介して跳ね上がるように図２中時計回り方向に回動するようになっている。そして、受発光用ＬＥＤなど用いた発光部と受光部からなるフォトインタラプタ２として構成され、発光部と受光部との間に光が通る光路を形成するようになっている。
【００２５】
つぎに、発電手段は、誘電コイル３および誘電体４などからなっており、それら誘電コイルと誘電体４による電磁誘導で起電力を発生させて発電する。また、誘電体４に磁石を利用している。そうした磁石による誘電体４は上記センサフラグ１の一部に装着された構造でもよいし、図１と図２に示すように、センサ軸７上に誘電体（片）４として軸支させて設けて一体回動できる構造でもよい。したがって、通過中のシートＰの当接による反動でセンサフラグ１がセンサ軸７を介して定位置から回動変位したとき、その動きと一体に誘電体４を回動させて電磁誘導で発電させる。シートＰの通過後、可動片８はシートＰの当接から開放されて自重で図１に示す垂れ下がった元の定位置に復帰する。そうした可動片８の回動の繰り返しでもって、センサ軸７上の誘電体４を繰り返し運動させ、電磁誘導によって電力を発生させる発電構造とすることができる。
【００２６】
なお、誘電コイル３と誘電体４である磁石とを用いて発電する形態を例示したが、センサフラグ１の移動を利用して発電するものであればこれに限るものではない。例えば、センサフラグ１の移動によって圧電素子を押圧して発電するようにしてもよい。
【００２７】
また、無線発信装置（無線発信手段）５としては、従来のように束線による配線を用いず、電波信号で検出信号を画像形成装置側に備わっている制御手段に対して送信する機材などからなっている。
【００２８】
かかるシート検出装置６は搬送路に臨んで配置され、搬送路を搬送されてきて通過中のシートＰが検出手段の可動片８に当接すると、その反動で可動片８がセンサ軸７を介して回動し、それと一体にセンサフラグ１が定位置から回動して変位する。センサフラグ１が回動変位してフォトインタラプタ２の光路に割り込んで遮って遮光する。同時に、同方向へ誘電体４も回動変位して誘電コイル３に入り込み、シートＰの通過後はその誘電体４が誘電コイル３から逃げ、そうした挿脱運動を繰り返して電磁誘導し、電力を発生させる。発電した電力は検出手段のフォトインタラプタ２と無線発信装置５を作動可能に利用される。
【００２９】
上記のように、シートＰの通過中、センサフラグ１が回動変位してフォトインタラプタ２の光路を遮光することで、それが「シート有り」を示す検出信号として出力され、無線発信装置５から送信させる。無線発信装置５は、従来のように束線による配線を用いず、検出信号を電波で画像形成装置に備わるＤＣコントローラなどによる制御部に送る。ＣＰＵ（中央演算処理装置）などからなる制御部は、画像形成装置全体の作動を統括して制御するとともに、無線発信装置５から受信した検出信号に基づいて判断し、シートＰの搬送制御や搬送ローラの回転制御などにフィードバックさせる。
【００３０】
以下、図２を参照して、本実施形態のシート検出装置６の動作と作用の具体例を説明する。
【００３１】
図示しない給紙カセットに収納されたシートＰが一枚ずつ繰り出されて給送され、搬送ローラ対９によって図中矢印Ｓの方向に搬送路に沿って搬送される。
【００３２】
図３は、シートＰが可動片８に未だ接触していない状態を示しており、そうした非通紙時の可動片８はほぼ垂直に垂れ下がった定位置にて待機している。また、その非通紙時にあっては、センサフラグ１と同軸のセンサ軸７上の誘電体４は誘電コイル３から離間しており、センサフラグ１はフォトインタラプタ２の光路を遮っていない通光状態になっている。その通光状態であることの信号がシートＰ「無し」であることを示し、そうしたシート無し信号を画像形成装置側の制御部では認識している。
【００３３】
そこで、図４に示すように、搬送されてきたシートＰが可動片８に当接して接触すると、その当接による反動で可動片８が図の時計回り方向にセンサ軸７上で回動する。同時に、センサ軸７上の誘電体４も同方向に回動変位して誘電コイル３に挿入した位置となる。センサフラグ１は回動変位してフォトインタラプタ２の光路に割り込んで遮光する。その遮光によってシートＰの「有り」であることを示す検出信号を出力する。
【００３４】
シートＰが通過し終えた後、可動片８への当接解除によって、開放されたセンサ軸７上の可動片８とセンサフラグ１はそれらの自重でもって反時計回りに復帰方向へ回動してほぼ垂直方向に垂れ下がる。図３の原位置に戻ってつぎのシートＰが搬送されてくる間、待機状態となる。センサフラグ１や可動片８の復帰動作を自重にまかせることなく、復帰動作の確実性を増すためにリターンスプリングを用いて積極的かつ強制的に戻す構造も可能である。
【００３５】
以上のように、図３の非通紙状態と図４の通紙状態を繰り返すことによって、誘電コイル３に対して誘電体４が挿脱して出入りを繰り返すことで物理的に電磁誘導が行われ、誘電コイル３に起電力が発生する。この電力を図示しないコンデンサなどの蓄電手段にチャージして必要時に取り出して利用してフォトインタラプタ２や無線発信装置５を必要時に作動させる。シートＰの有無を示す検出信号は無線発信装置５からＤＣコントローラなどの画像形成装置側の制御部に送信され、制御部からの制御信号によってシートＰの搬送制御などを行う。
【００３６】
図５は、本実施形態のシート検出装置６と画像形成装置との間の制御に係る構成を示す機能ブロック図である。
【００３７】
図５中の検知手段とはシート検出装置６に相当する。シートＰの有無を検出した信号を発信装置（無線発信装置５）から画像形成装置側に設けた受信装置に送信して制御部に送る。制御部は受信した検出信号に基づいて種々の制御を行う。画像形成装置の内部のシート搬送路に臨んで必要最小限数のシート検出装置６が配置されている。それら各シート検出装置６からコードレスで送信される検出信号のすべてを画像形成装置側の受信手段が受信し、それら受信した検出信号を制御部において判断して種々の制御を実行する。
【００３８】
以上から明らかなように、この実施形態のシート検出装置６によれば、画像形成装置本体から給電のための束線などを這い回して配線する組み付け手間が省ける。それだけでなく、シートＰの有無を示す検出信号も配線を使わずに送受信する完全コードレス化を実現したシート検出装置を提供することができる。それによって、画像形成装置の内部に束線を這い回して配線する製造ラインにおける複雑な組付工程を省け、組立効率を飛躍的に向上させることができる。加えて、画像形成装置内にて配線経路を考慮しないで済むからそれだけ設計の自由度が増し、配線経路のスペースを見込まない分だけ画像形成装置を小型化できるといった格別な効果を生み出す。さらには有線のアンテナ現象で生じる異音などのノイズ発生も解消することができる。
【００３９】
≪第１参考形態≫
つぎに、図６および図７を参照して本発明に係る第１参考形態のシート検出装置を説明する。実施形態で示した各部材や機器と同一のものには同一符号を付して重複する説明は省く。
【００４０】
この第１参考形態のシート検出装置は、センサフラグ１、可動片８、フォトインタラプタ２、無線発信装置５、そして搬送ローラ２４の回転運動を利用した発電手段２６などによって構成されている。すなわち、実施形態では発電にセンサ軸７上に設けた誘電体４の正逆方向への繰り返し回動を利用したが、第１参考形態では搬送ローラ２４の回転を利用する点が構成上の違いである。
【００４１】
画像形成装置では、シートＰを搬送するために多数の搬送ローラが配置されてシート搬送装置を構成している。それら搬送ローラは画像形成装置に備わる駆動源モータの回転動力を得て回転する。搬送ローラの代表として示す搬送ローラ２４において、ローラ軸２４ｂ上にはローラ２４ａを有し、そのローラ軸２４ｂの一端側の同軸上に円板部材２３が取り付けて設けられている。円板部材２３にはたとえば角度１８０°の位相位置に磁石を利用した誘電体４が装着されている。誘電体４は１個以上で、この場合は１８０°位相する２個所に２つが装着されている。したがって、図７に示すように、通過中のシートＰによって搬送ローラ２４が回転すると、誘電体４が通過する付近に誘電コイル３を有する発電手段２６を配置しておけば、それら誘電体４と誘電コイル３とによる電磁誘導で電力を発生させることができる。
【００４２】
すなわち、シートＰの通過時、搬送ローラ２４が回転によってローラ軸２４ｂ端の円板部材２３が一体に同方向へ回転し、磁石を利用した誘電体４が回動して変位する。円板部材２３上の誘電体４は誘電コイル３に接近しかつ離間を回転中に繰り返す。誘電コイル３への接離繰り返しによって発生する誘電コイル３の起電力を蓄電し、その電力を利用してフォトインタラプタ２や無線発信装置５を作動させる。それらの作動でもってシートＰの有無を検出した信号がＤＣコントローラなどによる制御部に送られ、そこからの制御信号によってシート搬送制御など種々の制御が実行される。
【００４３】
ここで、発電効率をさらに高めるべく、上記搬送ローラ２４の回転を従動化する構造も考えられ、以下それについて説明する。
【００４４】
一般に、搬送中のシートＰは搬送路においてシート先端側とシート後端側で計４本の搬送ローラで搬送される。したがって、シートＰの先端側が搬送ローラ２７に到達した時点でシート後端側の搬送ローラ２４の回転を停止させ、それを従動ローラ（従動体）として機能させてシート先端側の搬送ローラ２７のみを駆動体として搬送させる。この搬送ローラ２７に回転駆動力を付与することができる。その状態で搬送路をシートＰが進行するに伴い、シート後端側の搬送ローラ２４を従動機能化させる。そのように搬送ローラの駆動を切換可能にすることで省電力化が図られ、しかも従動ローラにて発電して発電効率を高めることができる。
【００４５】
搬送ローラ２４の回転運動に代えて、誘電コイル３を搬送ローラ２４のローラ軸２４ｂ上に装着し、誘電体４をその誘電コイル３周辺に配置して電磁誘導を発生させる構造でも可能である。
【００４６】
この第１参考形態におけるシート検出装置と画像形成装置側との関係による構成は、実施形態の図５で示した構成の機能ブロックに共通するので説明を省く。
【００４７】
したがって、第１参考形態においても、実施形態と同様な効果が得られる。すなわち、画像形成装置から給電を受けるための配線が不要となるだけでなく、シートＰの有無を示す検出信号も配線を使わずに送受信する完全コードレス化を実現したシート検出装置を提供することができる。それによって、画像形成装置の内部に束線を這い回して配線する製造ラインにおける複雑な組付工程を省け、組立効率を飛躍的に向上させることができる。加えて、画像形成装置内にて配線経路を考慮しないで済むからそれだけ設計の自由度が増し、配線経路のスペースを見込まない分だけ画像形成装置を小型化できるといった格別な効果を生み出す。さらには有線のアンテナ現象で生じる異音などのノイズ発生も解消することができる。
【００４８】
≪第２参考形態≫
つぎに、図８〜図１０は、本発明による第２参考形態のシート検出装置を示す。
【００４９】
画像形成装置に対して印刷ジョブが信号でもって指示されると、給紙カセットからシートＰが給紙部材によって一枚ずつ繰り出されて給紙を開始する。図８および図９に示すように、シートＰは給紙搬送ローラ３１などによって搬送路に沿って順次搬送される。搬送路に臨んでメディアセンサ（メディア検出手段）３２が配置され、搬送されてきたシートＰがそのメディアセンサ３２に差し掛かるとシートＰの種類を検出するようになっている。また、レジストローラ３３が配置され、図示しない転写部とのタイミングを図ってシートＰは搬送され、転写部で感光体ドラムなど感光体上に現像された映像をシートＰに転写する。図示しない定着部にて加熱および加圧を施すことで、シートＰ上に転写された画像を永久定着させる。
【００５０】
ここで、図１０は、この第２参考形態の要部ともいうべきメディアセンサ３２の構成を示す。このメディアセンサ３２は、光照射手段である反射用ＬＥＤ３２ａと透過用ＬＥＤ３２ｂを有し、受光側の読取センサ３２ｃなどによって構成されている。したがって、反射用ＬＥＤ３２ａからの照射光がシートＰで反射され、その反射光Ｌ１でもって表面映像を読み取る。また、透過用ＬＥＤ３２ｂからの照射光をシートＰに透過させ、その透過光Ｌ２を読み取ることでシートＰの種類や厚さを検出することができる。そうした機能を遂行できるならば、メディアセンサ３２の構成は上記各機器からなるものに限定されない。
【００５１】
メディアセンサ３２を配置する位置は、図９に示すレジストローラ３３や給紙搬送ローラ３１付近が望ましく、シートＰの種類や厚さを検出してその検出信号に基づいてシートＰを搬送する際のローラ回転制御にフィードバックさせるうえで好都合である。
【００５２】
また、レジストローラ３３と給紙搬送ローラ３１のいずれか一方において、この場合給紙搬送ローラ３１において、そのローラ軸３１ａの一部を利用して誘電体４である磁石が装着されている。ローラ軸３１ａの一端側で同軸上に円板部材２３が固定して設けられ、ローラ軸３１ａと一体に回転する。その円板部材２３の一部には誘電体４が１個またはそれ以上複数個が装着されている。したがって、ローラ軸３１ａが回転すると、誘電体４が通過する付近に誘電コイル３を有する発電手段２６を配置しておけば、誘電体４と誘電コイル３との電磁誘導で起電力が生じ、電力を発電させることができる。
【００５３】
すなわち、シートＰの通過時、レジストローラ３３または給紙搬送ローラ３１が回転することから、誘電体４を担持している円板部材２３もまた回転する。円板部材２３に担持されている誘電体４は誘電コイル３に接近と離間を回転中に繰り返すこととなる。かかる接離繰り返しによって発生する誘電コイル３の起電力を利用することで、メディアセンサ３２と無線送信装置５が作動できるようになる。それらの作動でもってシートＰの種類や厚さを検出し、検出信号を画像形成装置本体側のＤＣコントローラなど制御部に送り、制御部における種々の制御の１つとして、メディアに適合するシート搬送制御を実現することができる。
【００５４】
図５の機能ブロックにて示す検知手段は第２参考形態では上記メディアセンサ３２に相当する。検出されたシートＰのメディアの種類や厚みのデータは発信装置から画像形成装置側の制御部にむけて送信される。すなわち、発信された信号を無線受信装置が受信して制御部に送る。制御部では、受信した信号に基づいてメディア情報を判断し、画像形成装置本体におけるシートＰの搬送や定着部の作動、といった種々の制御を統括して実行する。
【００５５】
この第２参考形態においても第１、第１参考形態と同様な効果が実現される。すなわち、画像形成装置から給電を受けるための配線が不要となるだけでなく、シートＰの有無を示す検出信号も配線を使わずに送受信する完全コードレス化を実現したシート検出装置を提供することができる。それによって、画像形成装置の内部に束線を這い回して配線する製造ラインにおける複雑な組付工程を省け、組立効率を飛躍的に向上させることができる。加えて、画像形成装置内にて配線経路を考慮しないで済むからそれだけ設計の自由度が増し、配線経路のスペースを見込まない分だけ画像形成装置を小型化できるといった格別な効果を生み出す。さらには有線のアンテナ現象で生じる異音などのノイズ発生も解消することができる。
【００５６】
以上、本発明に係るシート検出装置について数例の実施形態を説明したが、それら実施形態に限定されるものではなく、本発明の技術思想を逸脱しない範囲内でその他の実施形態、応用例、変形例およびそれらの組み合わせも可能である。
【図面の簡単な説明】
【００５７】
【図１】本発明によるシート検出装置の実施形態の構成を示す図。
【図２】同実施形態における動作態様を示す図。
【図３】同実施形態において搬送中のシートの検出態様を示す図。
【図４】同実施形態において搬送中のシートの検出態様を示す図。
【図５】同実施形態のシート検出装置による検出信号に基づいた画像形成装置での制御の関係を示す構成の機能ブロック図（第１，第２参考形態も共通）。
【図６】本発明によるシート検出装置の第１参考形態の構成を示す図。
【図７】同第１参考形態における搬送中のシートの検出態様を示す図。
【図８】本発明によるシート検出装置の第２参考形態としてメディア検出手段を示す図。
【図９】同第２参考形態におけるメディア検出手段の動作を示す図。
【図１０】同第２参考形態におけるメディア検出手段の構成を示す図。
【図１１】従来例のシート検出装置の構成を示す図。
【図１２】同従来構造においてシートＰの検出形態を示す図。
【図１３】従来のメディア検出手段の構成を示す図。
【符号の説明】
【００５８】
１      センサフラグ（検出手段）
２      フォトインタラプタ（検出手段）
３      誘電コイル（発電手段）
４      誘電体（発電手段）
５      無線発信装置
６      シート検出装置
８      可動片（検出手段）
Ｐ      記録紙や被転写材などのシート
３２    メディアセンサ（メディア検出手段）
５１    束線による配線
【図２】
0005201948.tif 000002
【図４】
0005201948.tif 000003
【図５】
0005201948.tif 000004
【図６】
0005201948.tif 000005
【図７】
0005201948.tif 000006
【図８】
0005201948.tif 000007
【図１１】
0005201948.tif 000008
【図１３】
0005201948.tif 000009
【図１】
0005201948.tif 000010
【図３】
0005201948.tif 000011
【図９】
0005201948.tif 000012
【図１０】
0005201948.tif 000013
【図１２】
0005201948.tif 000014